(57)【要約】【課題】集合住宅用インターホンシステムに係わり、特に集合玄関機から複数の居室に対して選択一斉呼出する選択一斉呼出を行うことができる。【解決手段】集合住宅において、居室親機と、エントランスに設置される集合玄関機およびエントランス扉と、居室親機、集合玄関機をそれぞれ制御するための制御装置とから構成される集合住宅用インターホンシステムにおいて、集合玄関機には、複数の居室親機の居室番号を選択する複数居室選択手段と、複数居室選択手段にて選択された複数の居室親機を集合玄関機から選択一斉呼出する選択一斉呼出手段を備えたことを特徴とする。【選択図】図１
2011135274.tif 000002
【特許請求の範囲】
【請求項１】
集合住宅において、居室親機（１０ａ、１０ｂ、１０ｃ・・・）と、エントランスに設置される集合玄関機（３０）およびエントランス扉（５０）と、前記居室親機、前記集合玄関機をそれぞれ制御するための制御装置（４０）とから構成される集合住宅用インターホンシステムにおいて、
前記集合玄関機には、複数の前記居室親機の居室番号を選択する複数居室選択手段と、前記複数居室選択手段にて選択された複数の前記居室親機を前記集合玄関機から選択一斉呼出する選択一斉呼出手段を備えたことを特徴とする集合住宅用インターホンシステム。
【請求項２】
前記集合玄関機には、前記複数選択手段にて選択が完了した時、前記集合玄関機で入力した映像・音声を仮記録する映像・音声仮記録手段と、前記映像・音声の入力が完了した時、前記選択一斉呼出手段を能動とさせると共に、前記映像・音声を前記複数選択手段で選択された複数の前記居室親機に送信する映像・音声送信手段を備えたことを特徴とする請求項１記載の集合住宅用インターホンシステム。
【請求項３】
前記居室親機は、前記選択一斉呼出を受けた時、前記集合玄関機から送信された前記映像・音声を記録する映像音声記録手段と、前記映像・音声を出力する映像音声出力手段と、前記映像音声出力手段により前記映像・音声が出力された時、映像音声出力手段に記録された前記映像・音声を消去する映像音声消去手段を備えたことを特徴とする請求項２記載の集合住宅用インターホンシステム。
【請求項４】
前記居室親機は、前記選択一斉呼出を受けた時、集合住宅内への入場許可操作を行う入場許可操作手段と、前記入場許可手段にて操作した時、当該居室番号と共に入場許可信号を送信する入場許可送信手段と、
前記集合玄関機は、前記入場許可信号を受信した時、当該居室番号が入場許可したことを表示する入場許可確認手段を備えたことを特徴とする請求項１乃至３のいずれか１項記載の集合住宅用インターホンシステム。
【請求項５】
前記集合玄関機は、前記入場許可信号を受信した時、前記エントランス扉が解錠する解錠手段を備えたことを特徴とする請求項４記載の集合住宅用インターホンシステム。
【請求項６】
集合住宅には、前記居室親機に接続される玄関子機（２０ａ、２０ｂ、２０ｃ・・・）を備え、
前記当該居室親機は、前記入場許可信号を前記集合玄関機に送信してから所定時間の計時を開始するタイマ手段と、前記タイマ手段がカウントアップするまで前記玄関子機の呼出操作を有効とする玄関子機有効手段を備えたことを特徴とする請求項４又は５記載の集合住宅用インターホンシステム。
【発明の詳細な説明】
【技術分野】
【０００１】
本発明は、集合住宅用インターホンシステムに係わり、特に集合玄関機から複数の居室に対して選択一斉呼出する選択一斉呼出手段を備える集合住宅用インターホンシステムに関する。
【背景技術】
【０００２】
従来、特許文献１に示すような集合住宅インターホンシステムが知られている。この集合住宅インターホンシステムは来訪者があった場合、居住者が、その居室内に設置された居室親機と集合住宅のエントランスに設置された集合玄関機との通話により来訪者を確認した後、居室親機に設けられている解錠ボタンを操作することによってエントランスに設置されたオートドアを解錠し、来訪者のマンション内への立ち入りを許可するようになっている。
【先行技術文献】
【特許文献】
【０００３】
【特許文献１】特開２００８−１８７６４８号公報
【発明の開示】
【発明が解決しようとする課題】
【０００４】
このような集合住宅インターホンシステムが設けられている集合住宅では、上述したように、エントランスにオートドアが設けられており、居住者にとって好ましくない来訪者や不審者のマンション内への立ち入りを制限することができる。
しかし、マンション内の他の居住者によりオートドアが解錠されたことによりマンション内に入った来訪者、例えば訪問販売などを行うセールスマン、宅配等の荷物を届ける宅配業者がさらに別の居住者の住戸を訪ねる場合があり、突然玄関子機を通じてドア一枚を隔てた玄関先から呼び出されると、どのようにマンション内に侵入したのか分からない者による突然の訪問に不安を感じることがある。
【０００５】
本発明は、このような玄関先における突然の来訪者の訪問による不安感を和らげるべくなされたものであり、必ず、居住者が集合玄関機との通話により来訪者を確認し、居住者自身がマンション内への立ち入りを許可すべくオートドアの解錠操作をした場合でなければ、訪問者による玄関子機からの呼び出しを受けることのない集合住宅用インターホンシステムを提供することを課題とする。
【課題を解決するための手段】
【０００６】
上述の目的を達成するため、本発明の第１の態様である集合住宅用インターホンシステムは、集合住宅において、居室親機と、エントランスに設置される集合玄関機およびエントランス扉と、居室親機、集合玄関機をそれぞれ制御するための制御装置とから構成される集合住宅用インターホンシステムにおいて、集合玄関機には、複数の居室親機の居室番号を選択する複数居室選択手段と、複数居室選択手段にて選択された複数の居室親機を集合玄関機から選択一斉呼出する選択一斉呼出手段を備えたことを特徴とする。
【０００７】
また、本発明の第２の態様である集合住宅用インターホンシステムは、集合玄関機には、複数選択手段にて選択が完了した時、集合玄関機で入力した映像・音声を仮記録する映像・音声仮記録手段と、映像・音声の入力が完了した時、選択一斉呼出手段を能動とさせると共に、映像・音声を複数選択手段で選択された複数の居室親機に送信する映像・音声送信手段を備えたことを特徴とする。
【０００８】
また、本発明の第３の態様である集合住宅用インターホンシステムは、  居室親機は、選択一斉呼出を受けた時、集合玄関機から送信された映像・音声を記録する映像音声記録手段と、映像・音声を出力する映像音声出力手段と、映像音声出力手段により映像・音声が出力された時、映像音声出力手段に記録された映像・音声を消去する映像音声消去手段を備えたことを特徴とする。
【０００９】
また、本発明の第４の態様である集合住宅用インターホンシステムは、居室親機は、選択一斉呼出を受けた時、集合住宅内への入場許可操作を行う入場許可操作手段と、入場許可手段にて操作した時、当該居室番号と共に入場許可信号を送信する入場許可送信手段と、集合玄関機は、入場許可信号を受信した時、当該居室番号が入場許可したことを表示する入場許可確認手段を備えたことを特徴とする。
【００１０】
また、本発明の第５の態様である集合住宅用インターホンシステムは、集合玄関機は、入場許可信号を受信した時、エントランス扉が解錠する解錠手段を備えたことを特徴とする。
【００１１】
また、本発明の第６の態様である集合住宅用インターホンシステムは、集合住宅には、居室親機に接続される玄関子機を備え、当該居室親機は、入場許可信号を集合玄関機に送信してから所定時間の計時を開始するタイマ手段と、タイマ手段がカウントアップするまで玄関子機の呼出操作を有効とする玄関子機有効手段を備えたことを特徴とする。
【発明の効果】
【００１２】
請求項１の発明によれば、集合玄関機にて用件のある複数の居室親機を選択して呼出連絡を行うことができる。
請求項２の発明によれば、集合玄関機にて用件のある複数の居室親機に来訪者画像、来訪者音声を送信することができる。
請求項３の発明によれば、居室親機にて集合玄関機から送信されてきた来訪者画像、来訪者音声を再生することができる。
請求項４の発明によれば、居室親機で来訪者の入場許可操作を行うことができる。
請求項５の発明によれば、居室親機にて入場許可操作が成されると集合住宅のエントランス扉が解錠することができる。
請求項６の発明によれば、入場許可操作された居室親機の居室玄関子機で呼出操作を行うことができる。
【図面の簡単な説明】
【００１３】
【図１】本発明に係る実施形態である集合住宅用インターホンシステムのシステム構成図である。
【図２】本発明に係る実施形態である集合住宅用インターホンシステムの集合玄関機の動作を示した動作図である。
【発明を実施するための形態】
【００１４】
以下、本発明によるインターホンシステムを適用した好ましい形態の実施例について、図を参照して説明する。
この実施形態による集合住宅インターホンシステムは、図１のように、エントランスに設置され居住者を呼び出すための集合玄関機３０と、集合玄関機３０から呼び出されたときに応答・通話するための居室親機１０ａ、１０ｂ、１０ｃ・・・と、各居室玄関に設置され居住者を呼び出すための玄関子機２０ａ、２０ｂ、２０ｃ、・・・と、エントランスに入場するためのエントランス扉５０と、集合玄関機３０、居室親機１０ａ、１０ｂ、１０ｃ・・・を制御するための制御機４０とから構成されている。
【００１５】
集合玄関機３０には、来訪者が居室親機１０ａ、１０ｂ、１０ｃ・・・を呼び出すための操作部３０１と、操作部３０１による操作等を表示する表示部３０２と、居室親機１０ａ、１０ｂ、１０ｃ・・・と通話するためのマイク３０３およびスピーカ３０４と、エントランスにいる来訪者を撮像するためのカメラ３０５と、カメラ３０５で撮像された映像データ、マイク３０３で入力された音声データを記録する映像音声記録部３０８と、制御装置４０と通信を行うための集玄Ｉ／Ｆ３０９と、エントランス扉５０に対して解錠信号や施錠信号を送信するための解錠制御部３０６と、集合玄関機３０の制御を行うための集玄制御部３０７とから構成されている。
【００１６】
制御装置４０には、居室親機１０ａ、１０ｂ、１０ｃ・・・と通信を行なうための居室側Ｉ／Ｆ４０３と、集合玄関機３０と通信を行なうための集玄側Ｉ／Ｆ４０２と、制御装置４０の制御を行うための制御機制御部４０１とから構成されている。
【００１７】
玄関子機２０ａ、２０ｂ、２０ｃ、・・・には、来訪者が居室親機１０ａ、１０ｂ、１０ｃ・・・を呼び出すための操作部２０１と、居室親機１０ａ、１０ｂ、１０ｃ・・・と通話するためのマイク２０３およびスピーカ２０４と、玄関にいる来訪者を撮像するためのカメラ２０２と、居室親機１０ａ、１０ｂ、１０ｃ・・・と通信を行うための子機Ｉ／Ｆ２０６と、玄関子機２０ａ、２０ｂ、２０ｃ、・・・の制御を行うための子機制御部２０５とから構成されている。
【００１８】
居室親機１０ａ、１０ｂ、１０ｃ・・・には、来訪者から居室親機１０ａ、１０ｂ、１０ｃ・・・が呼び出されたときに応答操作を行うための操作部１０１と、玄関子機２０ａ、２０ｂ、２０ｃ、・・・のカメラ２０２または集合玄関機３０のカメラ３０５で撮像された映像を表示するための表示部１０２と、集合玄関機３０または玄関子機２０ａ、２０ｂ、２０ｃ、・・・と通話するためのマイク１０３およびスピーカ１０４と、玄関子機２０ａ、２０ｂ、２０ｃ、・・・または集合玄関機３０から送信された映像データ・音声データを記録する映像音声記録部１０５と、玄関子機２０ａ、２０ｂ、２０ｃ、・・・の操作部２０１の操作可能な時間を計時するタイマ１０７と、制御機４０と通信を行うための制御機側Ｉ／Ｆ１０８と、玄関子機２０ａ、２０ｂ、２０ｃ、・・・と通信するための子機側Ｉ／Ｆ１０９と、居室親機１０ａ、１０ｂ、１０ｃ・・・の制御を行うための親機制御部１０６とから構成されている。
【００１９】
このように構成された集合住宅用インターホンシステムについて、以下、動作を説明する。尚、玄関子機または集合玄関機からの一般的な呼び出し、及び呼び出しに対する居室親機からの応答動作の説明は本発明の要部ではないので省略し、集合玄関機から複数の居室親機を選択して呼び出す動作の説明を行う。図２には、集合玄関機で居室親機を複数選択して呼び出すときの集合玄関子機の動作を示した動作図である。
【００２０】
まず、宅配業者の様な来訪者が集合玄関機３０で居室親機１０ａ、１０ｂ、１０ｃ・・・のうち複数を選択、例えば、図2（ａ）のように操作部３０１にて居室親機１０ａ、１０ｃ、１０ｅを選択すると、表示部３０２に選択された居室親機１０ａ、１０ｃ、１０ｅの部屋番号が表示部３０２に表示される。その後、操作部３０１で呼出操作を行うと、集合玄関機３０のカメラ３０５およびマイク３０３が駆動状態となり、映像データ・音声データが映像音声記録部３０８に記録される。
【００２１】
その後、集合玄関機３０の操作部３０１にて選択一斉呼出を行うと、選択一斉呼出信号及び映像データ・音声データは、集玄Ｉ／Ｆ３０９、集玄側Ｉ／Ｆ４０２、制御機制御部４０１、居室側Ｉ／Ｆ４０３、制御機側Ｉ／Ｆ１０８を介して親機制御部１０６に送信される。映像データ・音声データは映像音声記録部１０５に記録され、スピーカ１０４にて呼出音が出力される。このとき、居室親機１０ａ、１０ｃ、１０ｅの操作部１０１にて映像音声出力操作を行うと、映像音声記録部１０５に記録された映像データ・音声データが表示部１０２、スピーカ１０４に出力され、出力が終了すると映像音声記録部１０５に記録された映像・音声が消去される。また、必要に応じて居室親機と集合玄関機となる。
【００２２】
この通知を受けた居室親機１０ａ、１０ｃ、１０ｅの居住者は、来訪者の入場を許可する場合には操作部１０１にて入場許可操作を行うことができる。例えば、居室親機１０ｃ、１０ｅの居住者が入場許可操作を行うと、入場許可信号が、親機制御部１０６から制御機側Ｉ／Ｆ１０８、居室側Ｉ／Ｆ４０３、制御機制御部４０１、集玄側Ｉ／Ｆ４０２、集玄Ｉ／Ｆ３０９を介して、集玄制御部３０７に送信され、表示部３０２に、図２（ｂ）のような入場許可確認情報が表示される。
【００２３】
選択一斉呼出信号が送信されてから所定時間経過、例えば４５秒を経過すると、入場許可操作が打ち切られ入場許可をした居室親機が確定する。例えば、居室親機１０ｃ、１０ｅが入場許可操作を行い、居室親機１０ａが入場許可操作を行わず４５秒を経過すると、図２（ｃ）のような表示が表示部３０２になされる。このとき、入場許可した居室親機が１つ以上存在するため、集玄制御部３０７は解錠制御部３０６を介してエントランス扉５０に解錠信号を送信し、エントランス扉５０を解錠する。また、集玄制御機３０７は解錠信号を送信する同時に、集玄Ｉ／Ｆ３０９、集玄側Ｉ／Ｆ４０２、制御機制御部４０１、制御機側Ｉ／Ｆ１０８、親機制御部１０６を介して居室親機１０ｃ、１０ｅにタイマ開始信号を送信する。タイマ開始信号は、制御機側Ｉ／Ｆ１０８、親機制御部１０６を介してタイマ１０７に送信され、所定時間、例えば２０分の計時を開始する。
【００２４】
集合住宅内に入場した来訪者は、タイマ１０７がタイムアップするまでに玄関子機２０ｃ、２０ｅの操作部２０１を操作すると、子機制御部２０５、子機Ｉ／Ｆ２０６、子機側Ｉ／Ｆ１０９を介して親機制御部１０６に呼出信号が送信されスピーカ１０４に呼出音が出力される。すると、カメラ２０２で撮像された映像が子機制御部２０５、子機Ｉ／Ｆ２０６、子機側Ｉ／Ｆ１０９、親機制御部１０６を介して表示部１０２に来訪者の映像が出力される。この呼出に対して居住者は操作部１０１にて応答操作を行うことによって、玄関子機のマイク２０３、スピーカ２０４と居室親機のマイク１０３、スピーカ１０４で通話を行うことができる。
【００２５】
尚、タイマ１０７が２０分を経過すると玄関子機２０ｃ、２０ｅの操作部２０１の操作をして呼び出すことができなくなる。また、入場許可されていない居室親機１０ａは集合住宅内に入場しても操作部２０１の操作をして居室親機１０ａを呼び出すことはできない。
【００２６】
以上の説明から明らかなように、来訪者が集合住宅内の複数居室に対して用事がある場合に、集合玄関機から複数居室に対して選択一斉呼出を可能にすることによって、住人にとって安心な方法で、来訪者が複数居室への用事を効率よく完了させることができる。
【符号の説明】
【００２７】
１０ａ、１０ｂ、１０ｃ・・・  居室親機
３０・・・                集合玄関機
４０・・・                制御装置
５０・・・                エントランス扉
【図１】
2011135274.tif 000003
【図２】
2011135274.tif 000004